(57)【特許請求の範囲】
【請求項１】
片面にシーラント層を有する長尺フィルムからなる第１の基材と、少なくとも片面にシーラント層を有する長尺フィルムからなる第２の基材を用意する工程と、
前記第１の基材の端部からの一部をその流れ方向に延在する折り線に沿って前記シーラント層の面が向かい合うように折り込んだのち、前記第１の基材の折り返し部が存在する側を、前記第２の基材のシーラント層側と向かい合わせて重ね合わせ、第１および第２の基材をシールする工程と、
前記シール工程によって形成される積層体を所定の形状に打ち抜く際に、打ち抜かれる領域内に前記第１の基材の折り返し部が含まれるようにして打ち抜き、第１の基材どうしがシールされた部分からなるツマミ部を形成する工程と、
を有することを特徴とするシールフィルムの製造方法。
【請求項２】
片面にシーラント層を有する長尺フィルムからなる第１の基材と、少なくとも片面にシーラント層を有する長尺フィルムからなる第２の基材と、前記第１の基材と同構成で、第１および第２の基材より幅の狭い長尺フィルムからなる第３の基材を用意する工程と、
前記第１の基材のシーラント層に前記第２の基材のシーラント層を対向させるとともに、第１および第２の基材の間に前記第３の基材を挿入したのち、第１〜第３の基材が重ね合わされた部分と、第１および第２の基材が重ね合わされた部分とが混在する領域をシールする工程と、
前記シール工程によって形成される積層体を所定の形状に打ち抜く際に、打ち抜かれる領域内に前記第３の基材の片側の端部が含まれるようにして打ち抜き、第３の基材が存在する側の第１の基材からなるツマミ部、または第１および第３の基材の互いにシールされた部分からなるツマミ部を形成する工程と、
を有し、
前記第３の基材が、本製造工程において前記第１の基材が繰り出されたのちに、第１の基材をスリットすることで供給されることを特徴とするシールフィルムの製造方法。
【請求項３】
前記基材のシーラント層がすべて同種の樹脂で構成されていることを特徴とする請求項１または２に記載のシールフィルムの製造方法。
【請求項４】
前記第２の基材のシーラント層の反対側の表面がイージーピール層で構成されていることを特徴とする請求項１ないし３のいずれかに記載のシールフィルムの製造方法。
【請求項５】
前記第２の基材が高周波により発熱する層を含むことを特徴とする請求項１ないし４のいずれかに記載のシールフィルムの製造方法。
【発明の詳細な説明】
【技術分野】
【０００１】
本発明は、容器の開口部をシールするために用いられるシールフィルムの製造方法に関する。
【背景技術】
【０００２】
従来、容器の開口部をキャップの内側でシールするためのインナーシールとして、開口部の外径とほぼ同じ径のシールフィルムを設けることが広く行われている。開封時にシールフィルムを剥がし取るときのツマミ部として、シールフィルムの外縁部を円周状または舌片状に突出させ、はみ出した部分をツマミ部とするものが知られている。
【０００３】
しかし、シールフィルムの外縁部をツマミ部とした場合には、つまみやすさのためにツマミ部の寸法を大きく取ると、容器の開口部の上にキャップを閉めるときにツマミ部が容器とキャップとの間に挟みこまれてキャップの取り付け不良を生じるおそれがある。このため、シールフィルムの上面層と下面層のフィルムの間に異種部材（タブライナー層）を挿入し、異種部材のない箇所において上面層と下面層とを貼り合わせることで、タブライナー層および上面層からなるツマミ部を容器の開口部から横方向へはみ出すことなく形成したものが提案されている（特許文献１参照）。
【特許文献１】特開平６−９９９１２号公報
【発明の開示】
【発明が解決しようとする課題】
【０００４】
しかしながら、異種部材の挿入によってツマミ部を形成すると、シールフィルムの上面層または下面層との接着力のコントロールが困難であり、熱量が多すぎるとシールフィルムの熱劣化や寸法収縮などの、熱量が少ないと剥離などの問題が生じるものであった。
また、上面層、下面層、異種部材と材料種が多くなるものであった。
【０００５】
本発明は、上記事情に鑑みてなされたものであり、ツマミ部を有するシールフィルムを安定的に、少ない材料種で製造することが可能なシールフィルムの製造方法を提供することを課題とする。
【課題を解決するための手段】
【０００６】
前記課題を解決するため、本発明は、片面にシーラント層を有する長尺フィルムからなる第１の基材と、少なくとも片面にシーラント層を有する長尺フィルムからなる第２の基材を用意する工程と、前記第１の基材の端部からの一部をその流れ方向に延在する折り線に沿って前記シーラント層の面が向かい合うように折り込んだのち、前記第１の基材の折り返し部が存在する側を、前記第２の基材のシーラント層側と向かい合わせて重ね合わせ、第１および第２の基材をシールする工程と、前記シール工程によって形成される積層体を所定の形状に打ち抜く際に、打ち抜かれる領域内に前記第１の基材の折り返し部が含まれるようにして打ち抜き、第１の基材どうしがシールされた部分からなるツマミ部を形成する工程と、を有することを特徴とするシールフィルムの製造方法を提供する。
【０００７】
また、本発明は、片面にシーラント層を有する長尺フィルムからなる第１の基材と、少なくとも片面にシーラント層を有する長尺フィルムからなる第２の基材と、前記第１の基材と同構成で、第１および第２の基材より幅の狭い長尺フィルムからなる第３の基材を用意する工程と、前記第１の基材のシーラント層に前記第２の基材のシーラント層を対向させるとともに、第１および第２の基材の間に前記第３の基材を挿入したのち、第１〜第３の基材が重ね合わされた部分と、第１および第２の基材が重ね合わされた部分とが混在する領域をシールする工程と、前記シール工程によって形成される積層体を所定の形状に打ち抜く際に、打ち抜かれる領域内に前記第３の基材の片側の端部が含まれるようにして打ち抜き、第３の基材が存在する側の第１の基材からなるツマミ部、または第１および第３の基材の互いにシールされた部分からなるツマミ部を形成する工程と、を有し、前記第３の基材が、本製造工程において前記第１の基材が繰り出されたのちに、第１の基材をスリットすることで供給されることを特徴とするシールフィルムの製造方法を提供する。
【０００８】
本発明においては、前記基材のシーラント層がすべて同種の樹脂で構成されていることが好ましい。
前記第２の基材のシーラント層の反対側の表面がイージーピール層で構成されていることが好ましい。
前記第２の基材が高周波により発熱する層を含むことが好ましい。
【発明の効果】
【０００９】
本発明によれば、２種類の基材でシールフィルムを製造することができる。また、各シーラント層が同種の樹脂で構成されているのでシール条件が設定し易く、安定した品質を得ることができる。
【発明を実施するための最良の形態】
【００１０】
以下、最良の形態に基づき、図面を参照して本発明を説明する。
図１は、本発明のシールフィルムの製造方法の第１形態例を示す図であり、図２は、本発明のシールフィルムの製造方法の第２形態例を示す図である。図１および図２のそれぞれにおいて、（ａ）は基材の重ね合わせ工程を説明する断面図、（ｂ）は各基材のシールにより得られる積層体を示す断面図、（ｃ）は打ち抜き工程を説明する部分斜視断面図、（ｄ）は打ち抜きにより得られるシールフィルムの断面図である。
【００１１】
第１の基材１，１１は、片面にシーラント層を有する長尺フィルムからなり、少なくとも基材層１ａ，１１ａとシーラント層１ｂ，１１ｂの２層を含んで構成される。シーラント層は、ポリエチレン（ＰＥ）、ポリプロピレン（ＰＰ）、エチレン−酢酸ビニル共重合体（ＥＶＡ）などのポリオレフィン系樹脂などの１種または２種以上から構成することができる。また、基材層としては、ポリエチレンテレフタレート（ＰＥＴ）等のポリエステル系樹脂、ナイロン（ＮＹ）等のポリアミド系樹脂などからなる単層または多層の組み合わせを用いることができ、なかでも延伸フィルムが好ましい。第１の基材は、基材層とシーラント層との間や基材層の表面に、さらにガスバリア層、印刷層、接着剤層、機能性を付与する層などを１または２層以上含んでもよい。
【００１２】
第２形態例の第３の基材１３は、第１の基材１１と同構成で、第１の基材１１および第２の基材１２より幅の狭い長尺フィルムが用いられる。本発明において、第３の基材１３が第１の基材１１と同構成である、とは、第１の基材１１と第３の基材１３とが材料種として区別されないものであることを意味する。すなわち、基材層１１ａ，１３ａやシーラント層１１ｂ，１３ｂ等の各層の材質、厚みや組み合わせも互いに同一である。
【００１３】
第２の基材２，１２は、少なくとも片面にシーラント層を有する長尺フィルムからなる。このようなフィルムとしては、１層のシーラント層のみからなるフィルム（単層フィルム）のほか、片面または両面にシーラント層を有する多層フィルム等が挙げられる。第２の基材は基材層を含んでもよく、その基材層としては、ポリエチレンテレフタレート（ＰＥＴ）等のポリエステル系樹脂、ナイロン（ＮＹ）等のポリアミド系樹脂などからなる単層または多層の組み合わせを用いることができ、なかでも延伸フィルムが好ましい。
第２の基材２，１２は高周波により発熱可能な層（高周波発熱層）を含んでもよく、その高周波発熱層としては、アルミニウム箔などの金属箔が挙げられる。特に、第２の基材の下面（第１の基材とシールされる側を上面とするとき、その反対側の面）は容器にシールする面であり、イージーピール性の素材を用いると開封が容易となるので好ましい。第２の基材は、さらにガスバリア層、印刷層、接着剤層、機能性を付与する層などを１または２層以上含んでもよい。
【００１４】
図１および図２では、第２の基材２，１２が、第１の基材１，１１に対してシールされる面にシーラント層２ｂ，１２ｂを、容器に対してシールされる面にイージーピール層２ｃ，１２ｃを、これらの間に基材層２ａ，１２ａを有する、シーラント層／基材層／イージーピール層の構成を表している。また、このほか多層フィルムの構成例としては、シーラント層／高周波発熱層、シーラント層／基材層、シーラント層／高周波発熱層／イージーピール層など、さまざまな構成が挙げられる。
【００１５】
上述のガスバリア層としては、アルミナ（Ａｌ２Ｏ３）やシリカ（ＳｉＯｘ）等のセラミックを蒸着してなるセラミック蒸着膜、アルミニウム等の金属層、エチレン−ビニルアルコール共重合体（ＥＶＯＨ）や塩化ビニリデン等のガスバリア性樹脂層が挙げられる。ガスバリア層を設けることにより、酸素や水蒸気などのガスがフィルムを通過することが阻止され、内容物の保存性が向上するので好ましい。
【００１６】
＜第１形態例＞
以下、図１を参照して、本発明のシールフィルムの製造方法の第１形態例を説明する。本形態例のシールフィルムの製造方法においては、まず、片面にシーラント層１ｂを有する長尺フィルムからなる第１の基材１と、少なくとも片面にシーラント層２ｂを有する長尺フィルムからなる第２の基材２を用意する。第１の基材１および第２の基材２は、ともにロール形状で用意し、順次繰り出して使用することが好ましい。
【００１７】
次に、図１（ａ）の断面図に示すように、第１の基材１の端部からの一部をその流れ方向に延在する折り線３ａに沿ってシーラント層１ｂの面が向かい合うように折り込んだのち、第１の基材１の折り返し部３が存在する側を、第２の基材２のシーラント層２ｂ側と向かい合わせて重ね合わせ、第１の基材１と第２の基材２とをシールする。
【００１８】
第１の基材１の端部の折り込みは、例えば、折り込み板を用いて行なうことができる。折り返しの際、片側の端部だけを折り返した場合はシールフィルムの１面取りが、また、図１（ａ）に示すように第１の基材１の両端部を折り返した場合はシールフィルムの２面取りが可能である。
【００１９】
また、折り込み工程の後、基材をシールする方法は、ヒートシール（熱シール）、超音波シール、高周波シールなどが挙げられる。この中ではヒートシールが好ましい。
また、シール工程において熱板を用いてヒートシールする際には、第１および第２の基材１、２の外側にはみ出したシーラント層が熱板などに溶着するのを防ぐため、シーラント層に溶着しないフィルム（ポリエチレンテレフタレート（ＰＥＴ）フィルム、ナイロンフィルムや、フッ素または、シリコーン処理されたフィルムやシート等）を介在させることが好ましい。このシーラント層に溶着しないフィルムとして、第１の基材１および第２の基材２と同様に長尺フィルムを用いると、シール手段の前でこれら基材１，２と重ね合わせて一緒に搬送することができる。
図１（ｂ）の断面図に示すように、第１および第２の基材１、２のシールにより積層体４が得られる。
【００２０】
次に、図１（ｃ）に示すように、シール工程によって形成される第１および第２の基材１，２の積層体４を所定の形状に打ち抜く際に、打ち抜かれる領域７内に第１の基材１の折り返し部３が含まれるようにして打ち抜き、第１の基材１どうしがシールされた部分からなるツマミ部５を形成する。これにより、図１（ｄ）に示すように、ツマミ部５を有するシールフィルム６が得られる。
【００２１】
シールフィルムでシールされる開口部が先端に開口部を有するように形成された筒状部にあるときは、シールフィルムを打ち抜く形状は該筒状部の外径とほぼ同じ径とし、外側へのはみ出しをなるべく少なくすることが好ましい。また、シールフィルムでシールされる開口部が平坦な壁面に開口しているときは、前記の打ち抜く形状は、開口部の外側にシール代の幅を確保できる程度の大きさとすることが好ましい。
【００２２】
なお、ここでは、打ち抜くときに第１の基材１の端部１ｓがシールフィルム６の円形の部分の直径にほぼ相当するように端部１ｓを中央にして打ち抜くようにしたが、ツマミ部５の面積が円形の部分の面積の半分より大きく、あるいは小さくなるように、いずれかに片寄らせてもよい。また、ここでは、積層体を打ち抜く形状を円形としたが、楕円形、四角形や六角形等の多角形状のように他の形状でもよい。さらに、シールフィルム６を積層体４から打ち抜いた後で、ツマミ部５の外周部の一部を除去するなどして整形してもよい。
【００２３】
＜第２形態例＞
以下、図２を参照して、本発明のシールフィルムの製造方法の第２形態例を説明する。
上述の第１形態例においては、第１の基材１の折り返し部３からツマミ部５を形成するようにしたが、本発明の第２形態例においては、第１の基材１１と同構成の第３の基材１３を用意し、第３の基材１３が存在する側の第１の基材１１からなるツマミ部１５Ａ、または第１の基材１１と第３の基材１３の互いにシールされた部分からなるツマミ部１５Ｂを形成することで、第１形態例のシールフィルム６と同様の機能を有するシールフィルム１６Ａ，１６Ｂを製造することができる。
【００２４】
本形態例のシールフィルムの製造方法においては、まず、片面にシーラント層１１ｂを有する長尺フィルムからなる第１の基材１１と、少なくとも片面にシーラント層１２ｂを有する長尺フィルムからなる第２の基材１２と、前記第１の基材１１と同構成で、第１および第２の基材１１，１２より幅の狭い長尺フィルムからなる第３の基材１３を用意する。第１および第２の基材１１，１２は、ロール形状で用意し、順次繰り出して使用することが好ましい。
【００２５】
第３の基材１３は、面取り数に応じて必要数のロールを用意し、第１の基材１１と第２の基材１２の間に第３の基材１３が挿入されるように各ロールを原紙掛けにセットするのでも良く、あるいは、第３の基材１３を、原紙掛けから繰り出された第１の基材１１をオンラインでスリットする（長尺フィルムの一部を流れ方向に沿ってカットし、２本またはそれ以上の長尺フィルムに切断する）ことで用意するのでも良い。
【００２６】
次に、図２（ａ）に示すように、第１の基材１１のシーラント層１１ｂに第２の基材１２のシーラント層１２ｂを対向させるとともに、第１および第２の基材１１，１２の間に第３の基材１３を挿入したのち、第１〜第３の基材１１，１２，１３が重ね合わされた部分と、第１および第２の基材１１，１２が重ね合わされた部分とが混在する領域をシールする。第３の基材１３の挿入する本数は特に限定されず、第３の基材１３を１本挿入すればシールフィルムの１面取りが、また、図２（ｂ）に示すように第３の基材１３を２本挿入すれば２面取りが可能である。さらに、第３の基材１３を３本以上挿入すれば３面以上の多面取りを行なうこともできる。
【００２７】
基材をシールする方法は、ヒートシール（熱シール）、超音波シール、高周波シールなどが挙げられる。この中ではヒートシールが好ましい。
また、シール工程において熱板を用いてヒートシールする際には、重ね合わせた基材の外側にはみ出したシーラント層が熱板などに溶着するのを防ぐため、シーラント層に溶着しないフィルム（ポリエチレンテレフタレート（ＰＥＴ）フィルム、ナイロンフィルムや、フッ素または、シリコーン処理されたフィルムやシート等）を介在させることが好ましい。このシーラント層に溶着しないフィルムとして、各基材１１〜１３と同様に長尺フィルムを用いると、シール手段の前でこれら基材１１〜１３と重ね合わせて一緒に搬送することができる。
図２（ｂ）の断面図に示すように、第１〜第３の基材１１〜１３のシールにより積層体１４が得られる。
【００２８】
次に、図２（ｃ）に示すように、シール工程によって形成される積層体１４を所定の形状に打ち抜く際に、打ち抜かれる領域１７Ａ，１７Ｂ内に第３の基材１３の片側の端部１３ｓが含まれるようにして打ち抜き、第３の基材１３が存在する側の第１の基材１１からなるツマミ部１５Ａ、または第１および第３の基材１１，１３の互いにシールされた部分からなるツマミ部１５Ｂを形成する。これにより、図２（ｄ）に示すように、ツマミ部１５Ａ，１５Ｂを有するシールフィルム１６Ａ，１６Ｂが得られる。
【００２９】
本形態例においては、第１および第２の基材１１，１２の間に第３の基材１３を挿入する際に、図２（ａ）の左側に示すように第３の基材１３のシーラント層１３ｂを第２の基材１２のシーラント層１２ｂに対向させて重ね合わせれば、第３の基材１３が存在する側の第１の基材１１からなるツマミ部１５Ａを有するシールフィルム１６Ａが得られ、図２（ａ）の右側に示すように第３の基材１３のシーラント層１３ｂを第１の基材１１のシーラント層１１ｂに対向させて重ね合わせれば、第１および第３の基材１１，１３の互いにシールされた部分からなるツマミ部１５Ｂを有するシールフィルム１６Ｂが得られる。図２には、これら２種類のシールフィルム１６Ａ，１６Ｂを一緒に製造するようにした例を現しているが、特にこれに限定されるものではない。
第３の基材１３を挿入する向き（シーラント層１３ｂの上下）はどちらでもよく、用途目的に応じて挿入の向きを選択できる。第３の基材１３を、第１の基材１１からオンラインでスリットして用意する場合でも、必要に応じて、第３の基材１３のシーラント層１３ｂの上下向きを途中で反転することで、２種類のシールフィルム１６Ａ，１６Ｂをどちらでも選択して作製可能である。
【００３０】
２面取り以上の多面取りをする際に、すべての第３の基材１３のシーラント層１３ｂを第２の基材１２のシーラント層１２ｂに対向させて重ね合わせ、第３の基材１３が存在する側の第１の基材１１からなるツマミ部１５Ａを有するシールフィルム１６Ａのみを製造するようにしても良く、また、すべての第３の基材１３のシーラント層１３ｂを第１の基材１１のシーラント層１１ｂに対向させて重ね合わせ、第１および第３の基材１１，１３の互いにシールされた部分からなるツマミ部１５Ｂを有するシールフィルム１６Ｂのみを製造するようにしても良い。
【００３１】
積層体１４の打ち抜きの形状や寸法、打ち抜き後のツマミ部１５Ａ，１５Ｂの整形等は、第１形態例の積層体４の打ち抜きによるシールフィルム６の製造と同様に行なうことができるので、重複する説明は省略する。
【００３２】
（シールフィルム）
本形態例により製造されるシールフィルム６，１６Ａ，１６Ｂは、その外縁部を容器の開口部の周縁部にシールすることにより、開口部を閉鎖するシールに用いることができる。また、このシールフィルムは、容器の筒状部にキャップを取り付ける場合に、キャップの内側に用いるインナーシールとすることができる。
【００３３】
容器を開封するときには、シールフィルム６，１６Ａ，１６Ｂのツマミ部５，１５Ａ，１５Ｂを手指等でつまんで引きはがすことにより、容器を容易に開封することができる。本発明により製造されるシールフィルム６，１６Ａ，１６Ｂの場合、ツマミ部５，１５Ａ，１５Ｂが容器の開口部から上方に突出するように形成されているので、ツマミ部５，１５Ａ，１５Ｂをつまみやすい。
【００３４】
また、本形態例のシールフィルムを用いて、インナーシール付き容器を製造するには、第２の基材２，１２に高周波発熱層を有するシールフィルム６，１６Ａ，１６Ｂを使用する場合では、容器の開口部の周縁部の上に、ツマミ部が形成されたシールフィルムが、第２の基材２，１２を下にして配置され、さらに容器開口部にキャップが取り付けられ、このキャップ内でシールフィルムが容器開口部の周縁部に向けて圧接された状態で、高周波誘導加熱により、シールフィルムと容器開口部の周縁部との間をシールする方法を用いることができる。これにより、シールフィルムがキャップの内面によって容器開口部の周縁部に対して位置決めされるので、シールフィルムの位置合わせが容易である。この場合、高周波が第２の基材の内部の高周波発熱層に到達させるため、容器の少なくとも筒状部およびキャップは、プラスチックなどの絶縁体からなるものとする。
【００３５】
また、第２の基材２，１２に高周波発熱層を有さないシールフィルム６，１６Ａ，１６Ｂを使用する場合では、容器の開口部の周縁部の上に、シールフィルム６，１６Ａ，１６Ｂの打ち抜き形状と同一の形状であって両面にシーラント層を有しかつ内部に高周波発熱層を有する第４の基材を載置し、この第４の基材の上に、ツマミ部が形成されたシールフィルムが、第２の基材２，１２を下にして配置され、さらに容器開口部にキャップが取り付けられ、このキャップ内でシールフィルムおよび前記第４の基材が容器開口部の周縁部に向けて圧接された状態で、高周波誘導加熱により、シールフィルムと第４の基材との間および第４の基材と容器開口部の周縁部との間をシールする方法を用いることができる。これにより、シールフィルムがキャップの内面によって容器開口部の周縁部に対して位置決めされるので、シールフィルムの位置合わせが容易である。この場合、高周波が第４の基材の内部の高周波発熱層に到達させるため、容器の少なくとも筒状部およびキャップは、プラスチックなどの絶縁体からなるものとする。
【００３６】
容器開口部の周縁部の上にシールフィルムを載置する方法として、好ましくはあらかじめキャップ内に、ツマミ部を下向きにしたシールフィルムを装填したのち、このシールフィルムが装填されたキャップを容器開口部に取り付ける方法が挙げられる。
また、容器開口部の周縁部の上に第４の基材およびシールフィルムを載置する方法として、好ましくは、あらかじめキャップ内に、ツマミ部を下向きにしたシールフィルムと、第４の基材とをこの順番で装填したのち、このシールフィルムおよび第４の基材が装填されたキャップを容器開口部に取り付ける方法が挙げられる。
このように、容器開口部の周縁部の上に載置すべきものをあらかじめキャップ内に装填してから該キャップを容器開口部に取り付ける方法によれば、容器開口部の周縁部の上にシールフィルムまたは第４の基材およびシールフィルムを載置してから空のキャップを取り付ける方法に比べて、自動化された機械においても容易に実施することができる。
【００３７】
また、本形態例のシールフィルム６，１６Ａ，１６Ｂを用いてインナーシール付き容器を製造するときには、第２の基材２，１２に高周波発熱層を有するシールフィルムを使用する場合では、第２の基材と容器開口部の周縁部との間に、両面がシール可能な第５の基材を介在させ、その上にシールフィルムを載置するようにしてもよい。この場合は、キャップ内に、ツマミ部を下向きにしたシールフィルムと、両面がシール可能な第５の基材をこの順番で装填したのち、シールフィルムおよび第５の基材が装填されたキャップを容器の開口部に取り付け、このキャップ内でシールフィルムを前記容器開口部の周縁部に向けて圧接した状態で、高周波誘導加熱を行うことができる。
これにより、シールフィルムから容器開口部の周縁部までの間（シールフィルムの下面と第５の基材の上面との間、および第５の基材の下面と容器開口部の周縁部との間）が、高周波で第２の基材の内部に発生した熱により、相互にシールされる。
【００３８】
また、第２の基材２，１２に高周波発熱層を有さないシールフィルムを使用する場合では、前記第４の基材と容器開口部の周縁部との間に、両面がシール可能な第５の基材を介在させ、その上に第４の基材およびシールフィルムを載置するようにしてもよい。この場合は、キャップ内に、ツマミ部を下向きにしたシールフィルムと、シールフィルムの打ち抜き形状と同一の形状であって両面にシーラント層を有しかつ内部に高周波発熱層を有する第４の基材と、両面がシール可能な第５の基材をこの順番で装填したのち、シールフィルムの上に第４の基材および第５の基材が装填されたキャップを容器の開口部に取り付け、このキャップ内でシールフィルムを前記容器開口部の周縁部に向けて圧接した状態で、高周波誘導加熱を行うことができる。
これにより、シールフィルムから容器開口部の周縁部までの間（シールフィルムの下面と第４の基材の上面との間、第４の基材の下面と第５の基材の上面との間、および第５の基材の下面と容器開口部の周縁部との間）が、高周波で第４の基材の内部に発生した熱により、相互にシールされる。
【００３９】
第５の基材は、熱可塑性樹脂などのシール可能な部材からなるものであるが、特に、第５の基材と容器開口部の周縁部との間のシール強度が強いものが望ましい。これにより、ツマミ部をつまんでシールフィルムを引きはがした後で、第５の基材が容器開口部の周縁部側に残るようになる。このような第５の基材においては、多角形、星型、円形の開口部、あるいは多数の孔や網目状の開口部を設けることができ、これにより、容器から注出される内容物の流れをこれら開口部によって制御することができる。例えば内容物がマヨネーズ等の粘稠物である場合に、開口部の周縁を適宜の形状とすることにより、容器から注出される内容物の断面形状を星型等の特殊形状に成形して注出することができる。
【００４０】
以上説明したように、本形態例のシールフィルムの製造方法によれば、２種類の基材でシールフィルムを製造することができる。また、各シーラント層が同種の樹脂で構成されているのでシール条件が設定し易く、安定した品質を得ることができる。
【産業上の利用可能性】
【００４１】
本発明により製造されるシールフィルムは、容器のシールに利用することができ、食品、飲料、調味料、医薬品等、種々の内容物に適用することができる。
【図面の簡単な説明】
【００４２】
【図１】本発明のシールフィルムの製造方法の第１形態例を示し、（ａ）は基材の重ね合わせ工程を説明する断面図、（ｂ）は各基材のシールにより得られる積層体を示す断面図、（ｃ）は打ち抜き工程を説明する部分斜視断面図、（ｄ）は打ち抜きにより得られるシールフィルムの断面図である。
【図２】本発明のシールフィルムの製造方法の第２形態例を示し、（ａ）は基材の重ね合わせ工程を説明する断面図、（ｂ）は各基材のシールにより得られる積層体を示す断面図、（ｃ）は打ち抜き工程を説明する部分斜視断面図、（ｄ）は打ち抜きにより得られるシールフィルムの断面図である。
【符号の説明】
【００４３】
１，１１…第１の基材、１ｂ，１１ｂ…シーラント層、２，１２…第２の基材、２ｂ，１２ｂ…シーラント層、２ｃ，１２ｃ…イージーピール層、３…折り返し部、３ａ…折り線、４，１４…積層体、５，１５Ａ，１５Ｂ…ツマミ部、６，１６Ａ，１６Ｂ…シールフィルム、７，１７Ａ，１７Ｂ…打ち抜かれる領域、１３…第３の基材、１３ｂ…シーラント層。
【図１】
0005210641.tif 000002
【図２】
0005210641.tif 000003